(57)【要約】【課題】  被充電機器を変更した場合にも、少なくとも一部を共通的に使用することが可能で、多様な形状の被充電機器を充電可能な充電装置を提供すること。【解決手段】  充電機能部４は、複数種類の携帯電話端末１を選択的にセット可能な穴部２１を有する機種対応部５と、穴部２１内に配設され、押圧伸縮自在の複数の導電性ピン２０を有する端末受け側接続端子部１１と、充電用電力が供給される機種対応部受け側接続端子１０とを備えており、充電用置き台筐体３と嵌合配設される。端末１が機種対応部５にセットされた際、端末受け側接続端子部１１のピン２０を介して端末１の充電用端子２と機種対応部受け側接続端子１０を電気的に接続することにより、端末１に充電用電力を供給する。筐体３をユーザ好みのデザインの筐体１５に変えることにより、充電機能部４の共通使用が可能で又、ユーザの好みにあった筐体変更が可能になる。【選択図】  図１
2008054406.tif 000002
【特許請求の範囲】
【請求項１】
複数種類の被充電機器を選択的にセット可能な穴部を有する被充電機器セット部と、前記穴部内に配設され、押圧伸縮自在の複数の導電性ピンを有する第１端子部と、充電用電力が供給される第２端子部とを備え、
前記被充電機器が前記被充電機器セット部の穴部にセットされた際、前記第１端子部を介して前記被充電機器の充電用端子と前記第２端子部を電気的に接続することにより、前記被充電機器に充電用電力を供給することを特徴とする充電装置。
【請求項２】
更に前記被充電機器セット部を保持するための筐体を備え、
前記被充電機器セット部は、前記筐体に対して着脱可能に構成されて成ることを特徴とする請求項１記載の充電装置。
【請求項３】
前記被充電機器セット部は、前記筐体に対して着脱可能に構成されると共に前記被充電機器に応じて交換可能に構成されて成ることを特徴とする請求項１又は２記載の充電装置。
【請求項４】
前記被充電機器セット部は、前記筐体と嵌合するように構成されて成ることを特徴とする請求項１乃至３のいずれか一に記載の充電装置。
【請求項５】
前記複数の導電性ピンは格子状に配設されて成ることを特徴とする請求項１乃至４のいずれか一に記載の充電装置。
【請求項６】
前記複数の導電性ピンは１対の導電性ピンによって構成されて成ることを特徴とする請求項１乃至４のいずれか一に記載の充電装置。
【請求項７】
更に、ＡＣアダプタ接続端子を有し、前記第２端子部及びＡＣアダプタ接続端子は同一のプリント配線板に取り付けられて成ることを特徴とする請求項１乃至６のいずれか一に記載の充電装置。
【発明の詳細な説明】
【技術分野】
【０００１】
本発明は、携帯電話等の電子機器の二次電池を充電する充電装置に関する。
【背景技術】
【０００２】
従来から、携帯電話等の電子機器に使用されている二次電池を充電するために充電装置が使用されている（例えば、特許文献１〜５参照）。
図１０は、従来の一般的な充電装置である充電用置き台の使用例を示す図である。ＡＣ（交流）アダプタ１３と携帯電話端末１６の形状に合わせて設計された専用の充電用置き台１４が接続され、携帯電話端末１６を充電用置き台１４にセットすると充電される。
【０００３】
従来、携帯電話等の端末を購入した場合、ＡＣアダプタはメーカ間共通仕様にして共通的に使える様になってきているが、充電用置き台は、端末に合わせた形で機種毎に専用設計されており、機種変更の際には、いままでユーザが使用していた充電用置き台は使用できず、機種専用のものを別途新たに購入したり、また添付品となっている場合には、旧品は廃棄する必要があり、ユーザにとって負担になっている。
【０００４】
即ち、新しく購入した携帯電話端末１を充電するための充電用置き台１７は、ＡＣアダプタ１３は共通仕様のため使用できるが、充電用置き台１４とは異なる構造に構成されているため、端末１を充電用置き台１４によって充電することはできず、充電用置き台１７によって充電する必要がある。したがって、従来から使っている携帯電話等の端末１６用に準備された充電用置き台１４は、ユーザが再利用や気に入っていたデザインで使いたくても、選択の余地無く使えなくなってしまう。
【０００５】
また、旧品のデザインが気に入っていたためそれを継続して使いたくても、選択の余地が無く使えなかった。また、充電用置き台は部屋の中で使用されることが多いが、インテリアの一部として考えた場合、電子機器の機種毎に設定されたメーカデザインのものしか使用することができず、自由に充電用置き台の筐体デザインを選択、あるいは途中変更できず、インテリアとの調和を図りたいユーザの要求に応じることができないという問題があった。
【０００６】
ところで、特許文献１には、予め第１マイクの形状に沿って切抜かれた穴部を備え、底部にこの第１マイクに対する充電手段を備え、蓋を被せることにより、充電対象となるマイクの形状に合わせた穴部を調整するようにした充電器が開示されている。しかしながら、特許文献１に開示された充電器においては、凹凸を有する携帯電話機に対して、端子による電気的接続が良好には得られない恐れがあり、多様な凹凸や形状を有する携帯電話機用二次電池の充電には対応困難という問題がある。
【０００７】
また、特許文献２には、各対応するバッテリーの金属端子に接触するピン形状の複数の端子が植設され、またピン形状の端子内に弾性部を内蔵することで充電端子部とバッテリの接触を確保する接続端子部を備えた充電器が開示されている。しかしながら、特許文献２に開示された充電器においても、多様な凹凸や形状を有する携帯電話機にた充電ホルダーにおける端子変換アダプタでは、多様な凹凸を有する携帯電話機用二次電池の充電には対応困難という問題がある。
【０００８】
また、特許文献３には、充電器の後側端面に設けられたプラグ状の接続端子、各種携帯電話機に対応して製作され、前面に充電器接続ソケットが端子に対応して設けられ、後面に電話機接続端子が各種電話機の充電端子に対応して設けられた端子変換アダプタを備え、他種類の携帯電話機に対して充電することが可能な携帯電話機充電ホルダーが開示されている。
【０００９】
しかしながら、特許文献３に開示された携帯電話機充電ホルダーにおける端子変換アダプタにおいても、多様な凹凸や形状を有する携帯電話機用二次電池の充電には対応困難という問題がある。
また、前記いずれの文献にも、自由に充電装置のデザインを選択、あるいは変更できるようにしようという観点からの発明は記載されていない。
【００１０】
【特許文献１】特許第２８５３５４５号公報
【特許文献２】特表２００５−５１０１９１号公報
【特許文献３】実開平５−８８１４９号公報
【特許文献４】特開２００１−３４５９０９号公報
【特許文献５】実用新案登録第３０１１８２９号公報
【発明の開示】
【発明が解決しようとする課題】
【００１１】
本発明は、被充電機器を変更した場合にも、少なくとも一部を共通的に使用することが可能で、多様な形状の被充電機器を充電可能な充電装置を提供することを課題としている。
【課題を解決するための手段】
【００１２】
本発明によれば、複数種類の被充電機器を選択的にセット可能な穴部を有する被充電機器セット部と、前記穴部内に配設され、押圧伸縮自在の複数の導電性ピンを有する第１端子部と、充電用電力が供給される第２端子部とを備え、前記被充電機器が前記被充電機器セット部の穴部にセットされた際、前記第１端子部を介して前記被充電機器の充電用端子と前記第２端子部を電気的に接続することにより、前記被充電機器に充電用電力を供給することを特徴とする充電装置が提供される。
被充電機器が被充電機器セット部の穴部にセットされた際、第１端子部を介して前記被充電機器の充電用端子と第２端子部を電気的に接続することにより、前記被充電機器に充電用電力を供給する。
【００１３】
ここで、更に前記被充電機器セット部を保持するための筐体を備え、前記被充電機器セット部は、前記筐体に対して着脱可能に構成されて成るように構成してもよい。
また、前記被充電機器セット部は、前記筐体に対して着脱可能に構成されると共に前記被充電機器に応じて交換可能に構成されて成るように構成してもよい。
また、前記被充電機器セット部は、前記筐体と嵌合するように構成してもよい。
【００１４】
また、前記複数の導電性ピンは格子状に配設されて成るように構成してもよい。
また、前記複数の導電性ピンは１対の導電性ピンによって構成されて成るように構成してもよい。
更に、ＡＣアダプタ接続端子を有し、前記第２端子部及びＡＣアダプタ接続端子は同一のプリント配線板に取り付けられて成るように構成してもよい。
【発明を実施するための最良の形態】
【００１５】
図１は、本発明の実施の形態に係る充電装置を示す斜視図である。二次電池を有する電子機器の例として、携帯電話端末の例を示している。
図１において、被充電機器である携帯電話端末１の充電の際、基本部分となる充電機能部４の内部に構成されたバネ性をもった複数の導電性ピン２０を持ち種々の電子機器の機種の充電端子幅に対応する機能を有する端末受け側接続端子１１によって、端末の充電端子である端末側接続端子２が様々な形状や位置関係を有する場合でも、プリント配線板８上の機種対応部受け側接続端子１０と端末１の端末側接続端子２とを接触させることでき、電子機器機種間での互換が可能となる。ここで、端末受け側接続端子１１は第１端子部を構成し、機種対応部受け側接続端子１０は第２端子部を構成している。
【００１６】
また、機種毎に充電端子位置をあらかじめ設定し、被充電機器セット部である機種対応部５のみ交換しても、接続が可能である。更に機種対応部５を含む充電機能部４をあらかじめ嵌め込める構造を有した充電用置き台筐体３のみの変更で、様々なデザインを設定／使用することができ、ユーザが自分の好みで変更できる自由度を持たせることが可能となる。
【００１７】
尚、６は機種対応部底板、７は固定用ネジ、９はＡＣ（交流）アダプタ接続端子である。プリント配線板８には、ＡＣアダプタ接続端子９及び機種対応部受け側接続端子１０が一体的に取り付けられている。交流電源によって電子機器を駆動する場合には、ＡＣアダプタ接続端子９にＡＣアダプタ（図示せず）が接続される。充電機能部４は、機種対応部５及びプリント配線板８を有しており、これらは固定用ネジ７によって機種対応部底板６とともに一体的に固定されている。
【００１８】
携帯電話端末１が機種対応部５の充電機器セット用の穴部２１にセットされると、ＡＣアダプタから出力された直流電流はＡＣアダプタ接続端子９、プリント配線板８、機種対応部受け側接続端子１０を通り、端末受け側接続端子１１、端末受け側接続端子１１に接触している充電用端子である端末側接続端子２を介して、端末１に供給される。これにより、携帯電話端末１に内蔵された二次電池が充電される。
【００１９】
図１において、端末１充電の際、基本部分となる機種対応部５の内部に構成された、バネ性をもった複数の導電性ピン２０を持ち、種々の機種の充電端子幅に対応する機能を有する端末受け側接続端子１１によって、プリント配線板８上の機種対応部受け側接続端子１０と端末１の底部に配設された端末側接続端子２が、様々な位置関係にあっても接触させることでき、機種間での互換が可能となる。
このとき、後述する図２に示すように、端末１と機種対応部５の隙間が多く充電時の保持が困難な場合は、スペーサ１２を付けても良い。
【００２０】
尚、機種毎に充電端子位置をあらかじめ設定し、機種対応部５のみ交換しても、対応が可能である。
また、充電用置き台筐体３を、機種対応部５を含んだ充電機能部４を予め勘合可能な穴部３０有する構造とすることによって、充電機能部４は変更せずに使用すると共に充電用置き台筐体３のみを変更することで、様々なデザインを設定、使用することができ、ユーザーが自分の好みで変更できる自由度を持たせることが可能となる。
【００２１】
即ち、充電用置き台筐体３に代えて、充電用置き台筐体３の穴部３０と同一形状で充電機能部４を勘合可能な穴部３１を有する充電用置き台筐体１５を使用することができる。図１において、充電用置き台筐体３と充電用置き台筐体３１は形状の異なる充電用置き台の筐体を表し、充電機能部４が充電用置き台筐体３及び充電用置き台筐体３１にそれぞれ嵌合する寸法関係になっており、これによりユーザの好みにあった筐体変更が自由にできる。
【００２２】
従って、本実施の形態により、ユーザは機種変更時に端末１に合わせた充電用置き台筐体３を、その都度変更／廃棄することなく、継続的に使用することが可能になり、その利便性が格段に向上する。また、充電機能部４が共通的に使用できることにより、充電用置き台の筐体デザインを自由に設定することができ、ユーザが求めるものを選択できるため、満足度の向上につながる。
【００２３】
再び図１において、図１は本実施の形態の全体構成を表したものである。充電用置き台としては、プリント配線板８に実装されたＡＣアダプタ接続端子９、機種対応部受け側接続端子１０と、機種対応部５に嵌め込まれた端末受け側接続端子１１、これらを固定する機種対応部底板６と固定用ネジ７で構成された充電機能部４を充電用置き台筐体３に嵌め込まれることで構成されている。また、充電用置き台筐体３と充電用置き台筐体１５は形状の異なる充電用置き台の筐体を表し、充電機能部４が充電用置き台筐体３及び充電用置き台筐体１５にそれぞれ勘合される寸法関係で構成されており、筐体変更が容易にできる。
【００２４】
図２〜図４は本実施の形態の詳細を説明するための図であり、図２は本実施の形態の動作を説明するための斜視図、図３は本実施の形態の動作を説明するための説明図、図４は本実施の形態の動作を説明するための部分側断面図である。
図２〜図４において、外形及び端子位置関係の異なる、被充電機器である端末１、端末１６が選択的に機種対応部５の穴部２１にセットされた時、格子状に配置された複数の導電性ピン２０を有する端末受け側接続端子１１は、ピン２０の複数のいずれか一部が、端末１、１６の底部に設けられた複数の接続端子２の上部と接触する。
【００２５】
端末受け側接続端子１１の各導電性ピン２０はその長さ方向に伸縮自在に構成されたバネ性を持ったピンであり、通常状態では長さ方向に延びるように付勢されている。したがって、端末１、１６の接続端子２に対応するピン２０は、端末１、１６の自重で沈み込み、より確実な電気的接続が可能となる。この時、図４（ａ）に示すように、機種対応部５とそれぞれの端末１、別端末１６とで隙間が生じる場合はスペーサ１２を用いて調整することも可能である。
【００２６】
図５は、本発明の他の実施の形態に係る充電装置を示す斜視図で、図１〜図４と同一部分には同一符号を付している。
前記実施の形態では、端末受け側接続端子１１は格子状に配設された複数のピン２０を有するように構成したが、本実施の形態では端末受け側接続端子１１は２つ（１対）のピン４０を有するように構成している。
【００２７】
図６〜図８は、前記他の実施の形態に係る充電装置の動作を説明するための図で、図６は本他の実施の形態の動作を説明するための斜視図、図７は本他の実施の形態の動作を説明するための説明図、図８は本他の実施の形態の動作を説明するための部分側断面図であり、図１〜図５と同一部分には同一符号を付している。
図６において、機種対応部５のみを各端末の機種専用として交換可能に構成すると共に、他の構成要素は複数の電子機器間で共用できるように構成している。
機種対応部５は、２つのピン４０を有する端末受け側接続端子１１、端末セット用の穴部４１を備えている。
【００２８】
被充電機器セット部である機種対応部４２は、機種対応部５と同一配置で同一形状の２つのピン４０を有する端末受け側接続端子１１、端末セット用の穴部４３を備えている。
機種対応部５には、端末１を穴部４１にセットすることにより、端末１に設けられている２つの端末側接続端子２が各々ピン４０に電気的に接続され、これによって端末１に設けられている二次電池の充電が可能である。
【００２９】
機種対応部４２には、携帯電話端末１６を穴部４３にセットすることにより、携帯電話端末１６に設けられている２つの端末側接続端子２が各々導電性ピン４０に電気的に接続され、これによって端末１６に設けられている二次電池の充電が可能である。尚、端末１と端末１６は、外形形状が異なっているが、接続端子２の形状及び配置は同一に構成されている。
【００３０】
プリント配線板８に実装された機種対応部受け側接続端子１０に、機種毎に寸法関係を設定した機種対応部５に嵌め込んだ端末受け側接続端子１１と接触させる構成としても良い。この場合でも、機種専用部分は機種対応部５のみで対応が可能な為、必要最小限のコストで交換が可能である。また、端末１の端末側接続端子２と端末受け側接続端子１１の電気的接続、及び端末１と機種対応部５の機械的接続が確実になるため、スペーサなどの位置調整が不要となる。
【００３１】
図９は、本発明の実施の形態に係る充電装置である充電用置き台の充電機能部４における回路構成の要部を表したものである。
図９において、ＡＣアダプタ１３からの直流電流は、充電機能部４のＡＣアダプタ接続端子９を介して充電機能部４に出力される。次に、プリント配線板８上に形成されたパッド状の機種対応部受け側接続端子１０を通り、機種対応部５の端末受け側接続端子１１を介して携帯電話機端末１に出力される。充電機能部４から端末１に出力された電流は、機種対応部５のピン２０（４０）と端末１の端末側接続端子２とを電気的に接触させることで、端末１に流れ、端末１内の二次電池の充電が可能となる。
【００３２】
以上説明したように本発明の実施の形態に係る端末の充電用置き台である充電装置は、複数種類の被充電機器（端末１、１６）を選択的にセット可能な穴部２１、４１、４３を有する機種対応部５、４２と、穴部２１、４１、４３内に配設され、押圧伸縮自在の複数の導電性ピン２０、４０を有する端末受け側接続端子部１１と、充電用電力が供給される機種対応部受け側接続端子１０とを備え、前記被充電機器が機種対応部５、４２にセットされた際、端末受け側接続端子１１のピン２０、４０を介して端末１、１６の充電用端子２と機種対応部受け側接続端子１０を電気的に接続することにより、端末１、１６に充電用電力を供給するように構成されている。
【００３３】
また、機種対応部５、４２は着脱可能に構成されて成り、端末１、１６の形状や充電用端子２の配置に応じて、機種対応部５、４２を交換可能に構成されている。
更に、機種対応部５、４２を保持するための筐体３、１５を備えて成り、機種対応部５、４２は筐体３、１５と嵌合するように構成されている。
このように、端末１、１６との接続部分を、バネ性をもった複数のピン２０、４０を持ち複数の端末機種の充電端子幅に対応する機能を有した充電機能部４、または機種対応部５のみ予め設定した端子位置関係の複数のピン２０、４０を有する接続端子１１を備えたものを準備し、機種対応部５、４２のみの交換によって複数機種の充電を可能にする機能を有した充電用置き台により、機種間の互換性を高め、機種変更毎に必要であった充電用置き台を継続的に使用できるようにしている。
【００３４】
また、充電機能部４と複数の充電用置き台３、１５の筐体との位置関係を予め組合せ可能に設定することで、充電用置き台３、１５の筐体デザインをユーザが自分の好みで選択し、変更できる自由度を提供することが可能になる。
また、携帯電話等の端末充電の際、充電機能部の内部に構成された、バネ性をもった複数のピンを持ち、いろいろな機種の充電端子幅に対応する機能を有し、機種間の互換性を高くすることができる。
【００３５】
その結果、機種変更に合わせて変更していた充電用置き台を共通的に使用することができ、機種毎に専用設計された充電用置き台の廃棄／購入が不要となる効果がある。
また、充電機能部のみ機種毎とし、充電端子位置をあらかじめ設定した、必要最小限の機種対応部のみ交換で同様に機種対応することも可能である。
また、更に充電機能部をあらかじめ嵌め込める構造を有した充電用置き台の筐体によって、筐体のみの変更が可能となり、メーカは様々なデザインを設定／販売することができ、ユーザは部屋のインテリアに合わせて自分の好みで筐体変更ができる自由度を持つことが可能になるという効果がある。
【産業上の利用可能性】
【００３６】
携帯電話、ＰＨＳ（Personal Handyphone System）、ＰＤＡ（Personal Data Assistance,Personal Digital Assistants：個人向け携帯型情報通信機器）、携帯用音楽再生機器等の携帯端末装置、パソコンのワイヤレスデバイス、コードレスホン等の子機端末等の通信情報機器。充電式電気カミソリや電動ハブラシ、電動工具等、二次電池を内蔵する電子機器全般用の充電装置に利用が可能である。
【図面の簡単な説明】
【００３７】
【図１】本発明の実施の形態に係る充電装置の斜視図である。
【図２】本発明の実施の形態の動作を説明するための斜視図である。
【図３】本発明の実施の形態の動作を説明するための説明図である。
【図４】本発明の実施の形態の動作を説明するための部分側断面図である。
【図５】本発明の他の実施の形態に係る充電装置の斜視図である。
【図６】本発明の他の実施の形態の動作を説明するための斜視図である。
【図７】本発明の他の実施の形態の動作を説明するための説明図である。
【図８】本発明の他の実施の形態の動作を説明するための部分側断面図である。
【図９】本発明の実施の形態に係る充電装置における部分的な回路図である。
【図１０】従来の充電装置の斜視図である。
【符号の説明】
【００３８】
１、１６・・・被充電機器である端末
２・・・充電用端子である端末側接続端子
３・・・筐体である充電用置き台筐体
４・・・充電機能部
５、４２・・・被充電機器セット部である機種対応部
６・・・機種対応部底板
７・・・固定用ネジ
８・・・プリント配線板
９・・・ＡＣアダプタ接続端子
１０・・・第２端子部を構成する機種対応部受け側接続端子
１１・・・第１端子部を構成する端末受け側接続端子
１２・・・スペーサ
１３・・・ＡＣアダプタ
１４・・・充電用置き台
１５・・・筐体である充電用置き台別筐体
１７・・・充電用置き台
２０、４０・・・導電性ピン
２１、３０、３１、４１、４３・・・穴部
【図１】
2008054406.tif 000003
【図２】
2008054406.tif 000004
【図３】
2008054406.tif 000005
【図４】
2008054406.tif 000006
【図５】
2008054406.tif 000007
【図６】
2008054406.tif 000008
【図７】
2008054406.tif 000009
【図８】
2008054406.tif 000010
【図９】
2008054406.tif 000011
【図１０】
2008054406.tif 000012